(57)【要約】【課題】燃料キャップ１０は、蓋体４０の軸方向と直角方向からの外力を受けた場合にもシール性を維持する機能を簡単な構成で実現する。【解決手段】燃料キャップ１０は、ケーシング本体２０と、ケーシング本体２０の上部に回転可能に蓋体係合機構５０により装着された蓋体４０と、を備えている。蓋体係合機構５０は、ケーシング本体２０に形成された本体側係合部５２に、蓋体側係合部５１が係合している。また、蓋体離脱機構５５は、蓋体４０に、蓋体４０の軸方向とほぼ直角方向へ所定値以上の外力が加わったときに、上記外力を、上記回転軸の方向でありかつ上記係合を解除する方向への力に変えて上記蓋体係合機構５０による係合を解除する。【選択図】        図３
2004306968.tif 000002
【特許請求の範囲】
【請求項１】
タンク開口を開閉するキャップ装置において、
タンク開口をシールした状態で閉じる閉止体と、
上記閉止体の上部に装着され、上記閉止体を回転操作するための操作ハンドルを有する蓋体と、
上記閉止体の上部に形成された本体側係合部と、上記蓋体に形成され上記本体側係合部に係合する蓋体側係合部とを有し、上記蓋体の回転軸の方向への力により上記蓋体側係合部が上記本体側係合部に係合することで上記蓋体を上記ケーシング本体に着脱可能に装着する蓋体係合機構と、
上記蓋体に、上記軸方向とほぼ直角方向へ所定値以上の外力が加わったときに、上記外力を、上記回転軸の方向でありかつ上記係合を解除する方向への力に変えて上記蓋体係合機構による係合を解除する蓋体離脱機構と、
を備えたことを特徴とするキャップ装置。
【請求項２】
請求項１に記載のキャップ装置において、
上記蓋体離脱機構は、上記閉止体の上端に形成された本体側ガイド端と、上記蓋体に形成され、上記本体側ガイド端に当たったときに上記外力を上記係合を解除する方向への力に変えるガイド傾斜面とを備えているキャップ装置。
【請求項３】
請求項１に記載のキャップ装置において、
上記蓋体離脱機構は、上記蓋体に形成された蓋体側ガイド端と、上記閉止体に形成され、上記蓋体側ガイド端に当たったときに、上記外力を上記係合を解除する方向に変えるガイド傾斜面とを備えているキャップ装置。
【請求項４】
請求項１ないし請求項３のいずれかに記載のキャップ装置において、
上記蓋体係合機構は、上記蓋体および上記閉止体の周方向に等間隔に配置され、
上記蓋体離脱機構は、上記蓋体係合機構の間に配置されているキャップ装置。
【発明の詳細な説明】
【０００１】
【発明の属する技術分野】
本発明は、タンク開口に着脱可能に装着されるキャップ装置に関する。
【０００２】
【従来の技術】
従来、この種のキャップ装置として、特許文献１の技術が知られている。図１０は従来技術にかかる自動車の燃料キャップの断面図である。燃料キャップ１００は、ケーシング本体１０２と、ケーシング本体１０２の上部を覆う蓋体１１０とを備えている。ケーシング本体１０２には、内側壁に複数の凹部１０２ａを設け、蓋体１１０には下面に複数のスリット１１１ａを有するスリーブ１１１を設けるとともに、このスリーブ１１１の外側壁に上記ケーシング本体１０２の内側壁に設けた凹部１０２ａと係合する突起１１１ｂを設けている。
【０００３】
上記構成において、自動車の衝突などにより大きな外力が、燃料キャップ１００の周辺に加わった場合には、蓋体１１０の突起１１１ｂとケーシング本体１０２の凹部１０２ａとの係合が外れることにより、蓋体１１０がケーシング本体１０２から離脱して、燃料タンクの外部に対するシール性を維持している。
【特許文献１】
実開昭６０−２６５３号公報
【０００４】
【発明が解決しようとする課題】
上記燃料キャップ１００では、蓋体１１０の下方からの外力Ｆ１が加わった場合には、蓋体１１０がケーシング本体１０２から離脱するが、蓋体１１０の回転軸と直角方向からの外力Ｆ２が加わった場合には、蓋体１１０がケーシング本体１０２から離脱し難いという問題があった。
【０００５】
本発明は、上記従来の技術の問題を解決するものであり、蓋体の軸方向と直角方向からの外力を受けた場合にも蓋体が閉止体（ケーシング本体）から容易に離脱して、シール性を維持する機能を簡単な構成で実現するキャップ装置を提供することを目的とする。
【０００６】
【課題を解決するための手段およびその作用・効果】
上記課題を解決するためになされた本発明は、
タンク開口を開閉するキャップ装置において、
タンク開口をシールした状態で閉じる閉止体と、
上記閉止体の上部に装着され、上記閉止体を回転操作するための操作ハンドルを有する蓋体と、
上記閉止体の上部に形成された本体側係合部と、上記蓋体に形成され上記本体側係合部に係合する蓋体側係合部とを有し、上記蓋体の回転軸の方向への力により上記蓋体側係合部が上記本体側係合部に係合することで上記蓋体を上記ケーシング本体に着脱可能に装着する蓋体係合機構と、
上記蓋体に、上記軸方向とほぼ直角方向へ所定値以上の外力が加わったときに、上記外力を、上記回転軸の方向でありかつ上記係合を解除する方向への力に変えて上記蓋体係合機構による係合を解除する蓋体離脱機構と、
を備えたことを特徴とする。
【０００７】
本発明のキャップ装置において、蓋体の操作ハンドルを回転操作することにより、閉止体はタンク開口をシールした状態で閉じる。蓋体は、蓋体係合機構により、つまり蓋体側係合部が本体側係合部に係合することにより、閉止体に装着されている。
【０００８】
また、蓋体が軸方向とほぼ直角方向へ所定値以上の外力を受けたときに、蓋体離脱機構が上記外力を上記回転軸の方向でありかつ上記係合を解除する方向への力に変えて上記蓋体係合機構による係合を解除し、蓋体が閉止体から離脱する。したがって、蓋体は、外力により閉止体から確実に離脱するから、閉止体を損傷するのを回避してシール性を損なうことがない。
【０００９】
また、上記蓋体離脱機構の好適な態様として、上記閉止体の上端に形成された本体側ガイド端と、上記蓋体に形成され、上記本体側ガイド端に当たったときに上記外力を上記係合を解除する方向への力に変えるガイド傾斜面とを備える構成とし、または、上記蓋体に形成された蓋体側ガイド端と、上記閉止体に形成され上記蓋体側ガイド端に当たったときに上記外力を上記係合を解除する方向に変えるガイド傾斜面とを備えた構成とすることができる。
【００１０】
さらに、上記蓋体係合機構は、上記蓋体および上記閉止体の周方向に等間隔に配置され、上記蓋体離脱機構は、上記蓋体係合機構の間に配置する構成をとることができる。
【００１１】
【発明の実施の形態】
以上説明した本発明の構成・作用を一層明らかにするために、以下本発明の好適な実施例について説明する。
【００１２】
（１）  燃料キャップ１０の概略構成
図１は本発明の一実施の形態にかかる燃料キャップ１０を備えたキャップ装置を示す半断面図である。図１において、燃料キャップ１０は、図示しない燃料タンクに燃料を補給するための注入口ＦＮａ（タンク開口）を有するフィラーネックＦＮに装着されており、ポリアセタール等の合成樹脂材料から形成されたケーシング本体２０（閉止体）と、ケーシング本体２０の上部に装着されナイロン等の合成樹脂材料から形成された蓋体４０と、蓋体４０からの閉じ方向への回転トルクを所定範囲内で伝達するラッチェット機構などからなるトルク機構６０と、ケーシング本体２０の上部外周に装着されてケーシング本体２０とフィラーネックＦＮとの間をシールするガスケットＧＳとを備えている。
【００１３】
（２）  各部品の構成
次に、本実施の形態にかかる燃料キャップ１０の各部の構成について説明する。ケーシング本体２０は、ほぼ円筒状の外管体２１と、外管体２１の内側に一体に設けられた弁室形成体２２とを備えている。弁室形成体２２は、弁室を形成して該弁室内に調圧弁（図示省略）を収納している。
【００１４】
ケーシング本体２０の上部のフランジ２１ａの下面には、ガスケットＧＳが外装されている。ガスケットＧＳは、フランジ２１ａのシール保持部２１ｂとフィラーネックＦＮの注入口ＦＮａとの間に介在して、燃料キャップ１０を注入口ＦＮａに締め込むと、フィラーネックＦＮのシート面に対して押しつけられてシール作用を果たす。
【００１５】
外管体２１の外周下部には、ケーシング側係合部２０ａが形成されている。一方、フィラーネックＦＮの内周部には、開口側係合部ＦＮｂが形成されている。燃料キャップ１０をフィラーネックＦＮの注入口ＦＮａに挿入した状態にて、蓋体４０に閉じ方向への回転トルクを加えれば、トルク機構６０を通じてケーシング本体２０が回転して、ケーシング側係合部２０ａが開口側係合部ＦＮｂに係合することにより、燃料キャップ１０がフィラーネックＦＮに装着される。
【００１６】
蓋体４０は、上壁４１と、上壁４１の外周部に形成された側壁４３とを備え、カップ形状に一体成形されている。図２は図１の２−２線に沿った断面図、図３は蓋体４０の側壁４３の内側の付近を示す斜視図、図４は図２の４−４線に沿った断面図である。図２ないし図４に示すように、蓋体４０がケーシング本体２０の上部に蓋体係合機構５０を介して回転可能に取り付けられている。すなわち、蓋体係合機構５０は、その下端に蓋体側係合爪５１ｂを有する蓋体側係合片５１ａ（図３参照）と、ケーシング本体２０の上部に形成されかつ蓋体側係合爪５１ｂに係合する本体側係合部５２とを備えている。図２に示すように蓋体側係合部５１は、蓋体４０の周方向に等間隔で８カ所形成されている。この蓋体係合機構５０の構成により、蓋体４０をケーシング本体２０の上方から押し入れると、蓋体側係合片５１ａは、蓋体側係合爪５１ｂが本体側係合部５２に押されて外方へ倒れて、本体側係合部５２を乗り越える。これにより、蓋体側係合爪５１ｂが本体側係合部５２に係合して、蓋体４０がケーシング本体２０に回転可能に装着される。
【００１７】
図５は図２の５−５線に沿った断面図である。図２および図５に示すように、ケーシング本体２０と蓋体４０とにまたがって蓋体離脱機構５５が設けられている。蓋体離脱機構５５は、衝突に伴う外力で蓋体係合機構５０の係合状態を解消するための機構であり、周方向に等間隔で８カ所、蓋体側係合片５１ａの間に配置されている。蓋体離脱機構５５は、ガイド傾斜面５６（図３参照）を備えている。ガイド傾斜面５６は、蓋体の中心に向けて約４５゜で傾斜したリブ構造となっており、その上端部が本体側ガイド端５７に近接して配置されている。
【００１８】
（３）  燃料キャップ１０の作用・効果
（３）−１  図６および図７に示すように、車両の衝突などにより蓋体４０の回転軸に対して直角方向からの外力Ｆ２が蓋体４０や操作ハンドル４５に加わって、蓋体４０が側方へ移動すると、図７に示す蓋体４０のガイド傾斜面５６が本体側ガイド端５７に当って乗り上げ、蓋体４０は上方への力を受ける。このような蓋体４０への上方への力は、図６に示す蓋体側係合爪５１ｂが本体側係合部５２に対して係脱するように作用し、図８および図９に示すように蓋体４０がケーシング本体２０から離脱する。したがって、蓋体４０は、蓋体４０の側方から外力Ｆ２を受けたときに、ケーシング本体２０から確実に離脱して、ケーシング本体２０を損傷するのを回避するので、シール性を損なうことがない。
【００１９】
なお、図６に示すように蓋体４０の下端に、上方への外力Ｆ１が加わった場合には、蓋体側係合片５１ａの蓋体側係合爪５１ｂは、本体側係合部５２を乗り越えて、蓋体４０がケーシング本体２０から離脱する。
【００２０】
（３）−２  図２に示すように、蓋体係合機構５０は、上記蓋体４０の周方向に等間隔に配置され、上記蓋体離脱機構５５は、上記蓋体係合機構５０の間に配置されているので、いずれの方向からの外力Ｆ２によっても、蓋体４０を離脱させることができる。
【００２１】
（３）−３  図３に示すように、蓋体側係合部５１を構成する蓋体側係合片５１ａは、片持ち片で形成されているので、本体側係合部５２に係合するときに撓み、蓋体４０の着脱作業が容易であるだけでなく、離脱も確実に行うことができる。
【００２２】
なお、この発明は上記実施例に限られるものではなく、その要旨を逸脱しない範囲において種々の態様において実施することが可能であり、例えば次のような変形も可能である。
【００２３】
上記実施例では、ガイド傾斜面を形成したが、これに限らず、ケーシング本体の上端部にガイド傾斜面を形成し、このガイド傾斜面に当たる部材を蓋体に形成してもよい。
【図面の簡単な説明】
【図１】本発明の一実施の形態にかかる燃料キャップ１０を備えたキャップ装置を示す半断面図である。
【図２】図１の２−２線に沿った断面図である。
【図３】蓋体４０の側壁４３の内側の付近を示す斜視図である。
【図４】図２の４−４線に沿った断面図である。
【図５】図２の５−５線に沿った断面図である。
【図６】蓋体係合機構５０の作用を示す説明図である。
【図７】蓋体離脱機構５５の作用を説明する説明図である。
【図８】図６に続く動作を説明する説明図である。
【図９】図７に続く動作を説明する説明図である。
【図１０】従来技術にかかる自動車の燃料キャップの断面図である。
【符号の説明】
１０．．．燃料キャップ
２０．．．ケーシング本体
２０ａ．．．ケーシング側係合部
２１．．．外管体
２１ａ．．．シール保持部
２１ｂ．．．フランジ
２２．．．弁室形成体
２４．．．内蓋
４０．．．蓋体
４１．．．上壁
４３．．．側壁
４５．．．操作ハンドル
５０．．．蓋体係合機構
５１．．．蓋体側係合部
５１ａ．．．蓋体側係合片
５１ｂ．．．蓋体側係合爪
５２．．．本体側係合部
５５．．．蓋体離脱機構
５６．．．ガイド傾斜面
５７．．．本体側ガイド端
６０．．．トルク機構
ＦＮ．．．フィラーネック
ＦＮｂ．．．注入口
ＦＮｃ．．．開口側係合部
ＧＳ．．．ガスケット
【図１】
2004306968.tif 000003
【図２】
2004306968.tif 000004
【図３】
2004306968.tif 000005
【図４】
2004306968.tif 000006
【図５】
2004306968.tif 000007
【図６】
2004306968.tif 000008
【図７】
2004306968.tif 000009
【図８】
2004306968.tif 000010
【図９】
2004306968.tif 000011
【図１０】
2004306968.tif 000012